(57)【要約】【課題】比較的簡単な構成で且つ低コストで防水性を確保できる携帯端末を提供する。【解決手段】フレキシブル配線１５には、シリコン系ゲル材料で形成されたシール部１６が一体成形されている。フレキシブル配線１５の一端は、第１の筐体２０内の第１基板２５に接続されている。フレキシブル配線１５の他端は、フレーム部２２の配線孔２２ａ及びヒンジ部４０の中空空間４５に挿通されている。このとき、フレキシブル配線１５のシール部１６は、配線孔２２ａに圧入されている。【選択図】図２
2014042120.tif 000002
【特許請求の範囲】
【請求項１】
第１の筐体と、第２の筐体と、該第１の筐体と該第２の筐体とを折り畳み開閉自在に連結するヒンジ部とを備えた携帯端末であって、
前記第１の筐体内の第１基板と、前記第２の筐体内の第２基板とを電気的に接続するためのフレキシブル配線を備え、
前記第１基板を囲む前記第１の筐体の周縁部における前記ヒンジ部側には、前記フレキシブル配線が挿通される配線孔が形成され、
前記ヒンジ部の内部には、前記フレキシブル配線が挿通される中空空間が設けられ、
前記フレキシブル配線には、シリコン系ゲル材料で形成されたシール部が設けられ、
前記フレキシブル配線は、一端が前記第１基板に接続される一方、他端が前記配線孔及び前記中空空間に挿通され且つ前記シール部が該配線孔に圧入されるように配索されていることを特徴とする携帯端末。
【請求項２】
請求項１において、
前記シール部は、前記フレキシブル配線に対して一体成形されていることを特徴とする携帯端末。
【発明の詳細な説明】
【技術分野】
【０００１】
本発明は、携帯端末に関するものである。
【背景技術】
【０００２】
従来より、上部筐体と、下部筐体と、上部筐体と下部筐体とを折り畳み開閉自在に連結するヒンジ部とを備えた折畳み式の携帯端末が知られている（例えば、特許文献１参照）。この携帯端末では、上部筐体内の回路基板と下部筐体内の回路基板とがフレキシブル配線によって接続されている。
【０００３】
ところで、防水性を確保するためには、上部筐体及び下部筐体に開口している切欠孔を塞いだシール構造とすることが好ましい。例えば、特許文献２には、グロメットが設けられた弾性保護部材でフレキシブルフラットハーネスの表面を覆い、グロメットをコネクタ挿入穴に嵌め込むようにした構成が開示されている。
【先行技術文献】
【特許文献】
【０００４】
【特許文献１】特開２００７−０４３５０３号公報
【特許文献２】特開２００８−１９８４１０号公報
【発明の概要】
【発明が解決しようとする課題】
【０００５】
しかしながら、特許文献２の発明では、フレキシブル配線に対して複数のゴム製品等を含むグロメットを別途取り付けた構成であるため、部品点数が多くなってコストアップに繋がるという問題がある。
【０００６】
ここで、低コストで防水性を確保するために、ゴム材よりも安価で変形しやすいシリコン系ゲルを用いて、筐体に形成された切欠孔をシールすることが考えられる。例えば、特許文献１の携帯端末において、フレキシブル配線が挿通されている下部筐体の切欠孔にゲルを嵌め込むとともに、蓋部材によってゲルを厚さ方向に押圧させた状態で保持するようにすればよい。
【０００７】
しかしながら、シリコン系ゲルは、比較的軟らかい素材であるため、蓋部材による押圧状態が弱まったときに隙間が生じてしまい、防水性が確保できないという問題がある。また、蓋部材をゲルに押圧させた状態で保持するための機構が別途必要となり、その構造が複雑化してしまうという問題がある。
【０００８】
本発明は、かかる点に鑑みてなされたものであり、その目的は、比較的簡単な構成で且つ低コストで防水性を確保できる携帯端末を提供することにある。
【課題を解決するための手段】
【０００９】
本発明は、第１の筐体と、第２の筐体と、該第１の筐体と該第２の筐体とを折り畳み開閉自在に連結するヒンジ部とを備えた携帯端末を対象とし、次のような解決手段を講じた。
【００１０】
すなわち、第１の発明は、前記第１の筐体内の第１基板と、前記第２の筐体内の第２基板とを電気的に接続するためのフレキシブル配線を備え、
前記第１基板を囲む前記第１の筐体の周縁部における前記ヒンジ部側には、前記フレキシブル配線が挿通される配線孔が形成され、
前記ヒンジ部の内部には、前記フレキシブル配線が挿通される中空空間が設けられ、
前記フレキシブル配線には、シリコン系ゲル材料で形成されたシール部が設けられ、
前記フレキシブル配線は、一端が前記第１基板に接続される一方、他端が前記配線孔及び前記中空空間に挿通され且つ前記シール部が該配線孔に圧入されるように配索されていることを特徴とするものである。
【００１１】
第１の発明では、シリコン系ゲル材料で形成されたシール部がフレキシブル配線に設けられているので、フレキシブル配線にグロメット等の別部品を取り付けた場合に比べて、部品点数を削減してコストダウンを図ることができる。また、シリコン系ゲル材料は、ゴム材よりも安価であるので、さらなるコストダウンを図ることができる。
【００１２】
そして、第１の筐体の周縁部に配線孔を形成し、配線孔にフレキシブル配線のシール部を圧入させて塞ぐようにしているから、フレキシブル配線をシール材及び蓋部材で厚さ方向に押圧させてシールした構造を採用する場合に比べて、蓋部材による押圧状態が弱くなる等の不具合が生じることもなく、防水性を確保することができる。また、シール部が配線孔に圧入されているので、シール部を押圧するための蓋部材が必要無く、その分だけ端末本体を薄型化することができる。
【００１３】
第２の発明は、第１の発明において、
前記シール部は、前記フレキシブル配線に対して一体成形されていることを特徴とするものである。
【００１４】
第２の発明では、インサート成形等によってフレキシブル配線に対してシール部を容易に一体成形することができる。
【発明の効果】
【００１５】
本発明によれば、シリコン系ゲル材料で形成されたシール部がフレキシブル配線に設けられているので、部品点数を削減してコストダウンを図ることができる。また、シリコン系ゲル材料は、ゴム材よりも安価であるので、さらなるコストダウンを図ることができる。また、第１の筐体の周縁部に配線孔を形成し、配線孔にフレキシブル配線のシール部を圧入させて塞ぐようにしているので、防水性を確保することができる。
【図面の簡単な説明】
【００１６】
【図１】本発明の実施形態に係る折畳み式の携帯端末の閉じた状態を示す斜視図である。
【図２】携帯端末の構成を示す側面断面図である。
【図３】第１の筐体の構成を示す斜視図である。
【図４】フレキシブル配線の構成を示す斜視図である。
【図５】第１の筐体の内部構造を示す正面図である。
【発明を実施するための形態】
【００１７】
以下、本発明の実施形態を図面に基づいて説明する。なお、以下の好ましい実施形態の説明は、本質的に例示に過ぎず、本発明、その適用物或いはその用途を制限することを意図するものではない。
【００１８】
図１は、本発明の実施形態に係る折畳み式の携帯端末の閉じた状態を示す斜視図、図２は側面断面図である。図１及び図２に示すように、この携帯端末１０は、表示部２１を有する第１の筐体２０と、操作部３１を有する第２の筐体３０とを備えている。第１の筐体２０及び第２の筐体３０は、ヒンジ部４０によって折り畳み開閉自在に連結されている。
【００１９】
第１の筐体２０は、その外周縁に沿って延びる矩形枠状のフレーム部２２を有する。第１の筐体２０内の第１基板２５は、フレーム部２２によって囲まれている。フレーム部２２の外面には外装パネル２３が取り付けられ、外装パネル２３によって第１基板２５が覆われている。図３にも示すように、フレーム部２２におけるヒンジ部４０側には、矩形状の配線孔２２ａが形成されている。
【００２０】
ヒンジ部４０は、第１の筐体２０の幅方向の両端部に設けられた一対の外側ボス部４１と、第２の筐体３０側に設けられ且つ一対の外側ボス部４１の間に配設された内側ボス部４２とを有する。外側ボス部４１と内側ボス部４２とは、図示しないヒンジ軸によって回動自在に連結されている。
【００２１】
外側ボス部４１は、第１の筐体２０のフレーム部２２の両端部から膨出した円筒状の部材で形成されている（図３も参照）。外側ボス部４１は、フレーム部２２を樹脂成形する際に一体成形される。内側ボス部４２は、第２の筐体３０の幅方向の中央表面から第２の筐体３０の厚さ方向に膨出した円筒状の部材で形成されている。これにより、ヒンジ部４０の内部には、中空空間４５が設けられている。
【００２２】
第２の筐体３０内には、第２基板３５が設けられている。第２基板３５には、中継配線３６の一端が接続されている。中継配線３６の他端は、ヒンジ部４０の中空空間４５内に突出して延びている。
【００２３】
第１基板２５と第２基板３５とは、フレキシブル配線１５によって電気的に接続されている。図４にも示すように、フレキシブル配線１５には、インサート成形等によって一体成形された樹脂製のシール部１６が設けられている。シール部１６は、フレーム部２２の配線孔２２ａに圧入可能な直方体状に形成されている。
【００２４】
シール部１６は、シリコンを主原料とするゲル状素材であるシリコン系ゲルによって形成されている。なお、本実施形態のシール部１６としては、例えば、タイカ社製のθ−５、θ−６、θ−７等に相当する硬度を有するシリコン系ゲルを用いるとよい。
【００２５】
フレキシブル配線１５の一端は、第１の筐体２０内の第１基板２５に接続されている。フレキシブル配線１５の他端は、フレーム部２２の配線孔２２ａ及びヒンジ部４０の中空空間４５に挿通され、第２基板３５から延びる中継配線３６に接続されている。このとき、フレキシブル配線１５に一体成形されたシール部１６は、配線孔２２ａに圧入されて配線孔２２ａを塞いでいる（図５も参照）。
【００２６】
以上のように、本実施形態に係る携帯端末１０によれば、フレキシブル配線１５にシール部１６を一体成形するようにしているので、フレキシブル配線１５にグロメット等の別部品を取り付けた場合に比べて、部品点数を削減してコストダウンを図ることができる。さらに、ゴム材よりも安価なシリコン系ゲル材料でシール部１６を形成しているので、さらなるコストダウンを図ることができる。
【００２７】
また、第１の筐体２０のフレーム部２２に配線孔２２ａを形成し、配線孔２２ａにフレキシブル配線１５のシール部１６を圧入させて塞ぐようにしているので、防水性を確保することができる。
【産業上の利用可能性】
【００２８】
以上説明したように、本発明は、第１の筐体内の第１基板と第２の筐体内の第２基板とを電気的に接続するためのフレキシブル配線を備えた携帯端末について有用である。
【符号の説明】
【００２９】
１０    携帯端末
１５    フレキシブル配線
１６    シール部
２０    第１の筐体
２２    フレーム部（周縁部）
２２ａ  配線孔
２５    第１基板
３０    第２の筐体
３５    第２基板
４０    ヒンジ部
４５    中空空間
【図１】
2014042120.tif 000003
【図２】
2014042120.tif 000004
【図３】
2014042120.tif 000005
【図４】
2014042120.tif 000006
【図５】
2014042120.tif 000007